(57)【要約】      （修正有）【課題】吊り下げ体を別途取り付けることなく吊り下げ使用が行える収納用袋を提供する。【解決手段】収納用袋本体の開口縁７から連続一体に延び出す延び出し面部９に、その延び出し方向に沿って延び出し面部の先端縁に至らないように所定の間隔をおいて第１の切込みがそれぞれ形成され、第１の切込みそれぞれの開口縁側端部をそれぞれ連続するように第２の切込みが形成され、第１の切込み間のそれぞれに延び出し面部の先端縁側から第３の切込みがそれぞれ設けられ、第１〜第３のそれぞれの切込みが開かれることで、延び出し面部が連続する紐状の吊り下げ体１３となる。【選択図】図３
0003222000.tif 000002
【実用新案登録請求の範囲】
【請求項１】
収納用袋本体の開口縁から連続一体に延び出す延び出し面部に、その延び出し方向に沿って前記延び出し面部の先端縁に至らないように所定の間隔をおいて第１の切込みそれぞれが形成され、前記第１の切込みそれぞれの前記開口縁側端部それぞれを連続するように第２の切込みが形成され、前記第１の切込み間のそれぞれに前記延び出し面部の先端縁側から第３の切込みそれぞれが設けられ、
前記それぞれの切込みが開かれることで、前記延び出し面部が連続する紐状の吊り下げ体とされてなることを特徴とする収納用袋。
【請求項２】
前記第１の切込みそれぞれの前記延び出し面部の先端縁側の端部それぞれと、前記第３の切込みそれぞれの前記開口縁側の端部それぞれとに円形穴が付設されている請求項１記載の収納用袋。
【請求項３】
エアーキャリーバッグ形態である請求項１または２記載の収納用袋。
【考案の詳細な説明】
【技術分野】
【０００１】  この考案は、収納用袋の吊り下げ体構造に関する。
【背景技術】
【０００２】  菓子や玩具等の小物品の展示販売を透明のバッグ内に納めて行う場合があり、その際にはバッグをフックに吊り下げ状態として設置する。したがってバッグには紐状の吊り下げ体を必要とし、その吊り下げ体はバッグの開口縁に別途取付けられている。紐状の吊り下げ体が繊維束の紐の場合はバックの開口縁に取付け金具を使用して取り付ける必要があり、プラスチックの帯片の場合は開口縁に溶着して行う必要がある。したがって、製造に際しては、別途取り付けるための吊り下げ体部材を用意しなければならないとともに、その取付けに手間がかかり、それに伴いバックの価格も高くなるという問題があった。
【考案の概念】
【考案が解決しようとする課題】
【０００３】  この考案は、上記の事情に鑑みておこなったもので、吊り下げ体を別途取り付けることなく吊り下げ使用が行える収納用袋を提供することを目的とする。
【課題を解決するための手段】
【０００４】  この考案では、収納用袋本体の開口縁から連続一体に延び出す延び出し面部に、その延び出し方向に沿って前記延び出し面部の先端縁に至らないように所定の間隔をおいて第１の切込みそれぞれが形成され、前記第１の切込みそれぞれの前記開口縁側端部それぞれを連続するように第２の切込みが形成され、前記第１の切込み間のそれぞれに前記延び出し面部の先端縁側から第３の切込みそれぞれが設けられ、前記それぞれの切込みが開かれることで、前記延び出し面部が連続する紐状の吊り下げ体とされてなることを特徴とする収納用袋を提供する。
【０００５】  上記構成の収納用袋は、開口縁から連続一体に延び出す延び出し面部に形成された第１の切込み、第２の切込み、第３の切込みが開かれることで、延び出し面部が連続する紐状の吊り下げ体となり、これにより吊り下げ体を別途取り付けることなく吊り下げ使用が行える。
【０００６】  この考案は適宜の形態、適宜材料よりなる収納用袋に実施でき、エアーキャリーバッグ形態としても好適に実施できる。紐状の吊り下げ体は収納用袋本体の開口縁の相対する位置に対をなすように設けられてもよく、また、一方の側に設けられてもよい。紐状の吊り下げ体の長さは適宜であってよく、展示販売時の吊り下げ、購入後の首や手による吊り下げに適宜使用される。
【０００７】  第１の切込みそれぞれの延び出し面部の先端縁側の端部それぞれと、第３の切込みそれぞれの開口縁側の端部それぞれとに円形穴が付設される構成とされることで、吊り下げ使用時には第１の切込みそれぞれの上端それぞれと、第３の切込みそれぞれの上端それぞれとの位置において折れ曲がり状態となるが、それら折れ曲がり部には円形穴のそれぞれが付設されていることで、折れ曲がり部の破損が防止される。
【考案の効果】
【０００８】  この考案によれば、吊り下げ使用が行える収納用袋が、吊り下げ体を別途取り付けることなく容易に製造できるとともに、安価に提供できるようになる。
【図面の簡単な説明】
【０００９】
【図１】  この考案のエアーキャリーバッグの非使用時の実施形態の平面図
【図２】  この考案のエアーキャリーバッグの非使用時の実施形態の中央位置縦端面図
【図３】  この考案のエアーキャリーバッグの切込み開き時の実施形態の平面図
【図４】  この考案のエアーキャリーバッグの使用時の実施形態の斜視図
【考案を実施するための形態】
【００１０】  図１はこの考案のエアーキャリーバッグ（収納用袋）１の非使用時の平面図、図２は同中央位置縦端面図である。エアーキャリーバッグ１は２枚のプラスチックフィルムが重ね状態となった扁平中空の基材シート３の途中部Ａが一方の側が上方に突出するように折り畳まれ、両側縁Ｂ、Ｃが固着され、その両側縁Ｂ、Ｃ間の基材シート３間を物品収納部５とし、その上縁を開口縁７としている。フィルム基材３内に空気が充填されることでフィルム基材３全体が膨らみ、そのフィルム基材３により両側から押圧固定される状態で物品収納部５内に物品が固定されて納められる。８はフィルム基材３内に空気が充填するための逆止弁である。
【００１１】  上記開口縁７の奥方側の上部に突出する部分が、開口縁７から連続一体に延び出す延び出し面部９となり、延び出し面部９以外の部分がエアーキャリーバッグ１の収納用袋本体を構成する。延び出し面部９を構成するフィルム基材３の外層のフィルム３ａの外面には白色印刷Ｄが施されている。
【００１２】  延び出し面部９には、延び出し方向に沿って延び出し面部９の先端縁に至らないように所定の間隔をおいて４本の第１の切込み１５が縦方向に並設され、それら第１の切込み１５それぞれの開口縁７側端部それぞれを連続するように第２の切込み１７が横方向に形成され、第１の切込み１５の中間位置のそれぞれに延び出し面部９の先端縁側から３本の第３の切込み１９が縦方向に設けられている。上記それぞれの切込み１５、１７、１９が開かれることで、図３に示すように、延び出し面部９は連続する紐状の吊り下げ体１３とされる。第１の切込み１５それぞれの延び出し面部９の先端縁側の端部それぞれと、第３の切込み１９それぞれの開口縁側の端部それぞれには、円形穴２１のそれぞれが設けられている。
【００１３】  上記逆止弁８は、第２の切込み１７が設けられることで形成される基材シート３の隙間から下方に挿し入れられ、その隙間の封着時に一体に固着されて取り付けられる。
【００１４】  図４はエアーキャリーバッグ１の使用状態を示し、吊り下げ体１３がフック２２に係止されて物品２３の展示販売に用いられている。物品２３はフィルム基材３により両側から押圧固定される状態で物品収納部５内に収納され、物品収納部５のフィルム基材３は透明であることで物品２３は一見空間にあるように面白く展示される。吊り下げ体１３は、延び出し面部９を構成するフィルム基材３の外層のフィルム３ａの外面に白色印刷Ｄが施されていることで、物品収納部５と区分されるとともに見栄え良くなっている。菓子等の物品が子供に購入された場合には、エアーキャリーバッグ１は吊り下げ体１３が子供の首に吊り下げられて使用される。
【００１５】  吊り下げ使用時において、吊り下げ体１３は第１の切込み１５それぞれの上端それぞれと、第３の切込み１９それぞれの下端それぞれとの位置において折れ曲がり状態となるが、それら折れ曲がり部１６には円形穴２１のそれぞれが形成されていることでその位置での破損が防止されている。
【符号の説明】
【００１６】１    エアーキャリーバッグ（収納用袋）
７  開口縁
９  延び出し面部
１３  吊り下げ体
１５  第１の切込み
１７  第２の切込み
１９  第３の切込み
２１  円形穴
【図１】
0003222000.tif 000003
【図２】
0003222000.tif 000004
【図３】
0003222000.tif 000005
【図４】
0003222000.tif 000006